(57)【特許請求の範囲】
【請求項１】
被写体像を画像データに変換する撮像部と、
上記画像データをファイル化するファイル化部と、
上記画像データの加算演算を行う加算演算部と、
外乱情報に基づく表示を行うか行わないかの設定を行う設定部と、
撮影開始から終了時のまでの間に、特定タイミングで得られた画像データ、外乱情報と共に時刻情報が記録された複数の画像ファイルを記憶する記憶部と、
撮影の実行中に特定のタイミングで上記撮像部から上記画像データが出力されるたびに、上記画像データと、上記撮影の実行中に画面を横切る外乱を検出した場合には、上記外乱が有ったことを示す外乱情報を合せて上記ファイル化部にファイル化を実行させ、上記設定部で上記外乱情報に基づく表示を行う設定を行った場合には、上記記憶部に記憶された画像ファイルが有する上記外乱情報を利用して上記加算演算部に過去の画像データとの加算演算を実行させ、生成された画像の再生を行い、一方、上記設定部で上記外乱情報に基づく表示を行わない設定を行った場合には、上記記憶部に記憶された画像ファイルの画像データを上記加算演算部で加算演算を実行させ、生成された画像の生成を行う制御部と、
を有することを特徴とする撮像装置。
【請求項２】
上記ファイル化部は、上記撮影の終了時に、上記加算演算した画像をファイル化することを特徴とする請求項１に記載の撮像装置。
【請求項３】
上記撮像装置は、さらに、時刻情報を出力する時計部を有し、
上記制御部は、上記特定のタイミングで出力された画像データをファイル化する際に、上記時刻情報も併せて記録し、再生の際には、上記時刻情報に基づいて上記加算演算部に過去の画像データと加算演算を実行させ、生成された画像の表示を行うことを特徴とする請求項１に記載の撮像装置。
【請求項４】
撮像部から被写体像を画像データに変換する撮像ステップと、
上記画像データをファイル化するファイル化ステップと、
上記画像データの加算演算を行う加算演算ステップと、
外乱情報に基づく表示を行うか行わないかの設定を行う設定ステップと、
撮影開始から終了時のまでの間に、特定タイミングで得られた画像データ、外乱情報と共に時刻情報が記録された複数の画像ファイルを記憶する記憶ステップと、
撮影の実行中に特定のタイミングで上記撮像ステップにおいて上記画像データが出力されるたびに、上記画像データと、上記撮影の実行中に画面を横切る外乱を検出した場合には、上記外乱があったことを示す外乱情報を合せて上記ファイル化ステップによってファイル化を実行させ、上記設定ステップで上記外乱情報に基づく表示を行う設定を行った場合には、上記記憶ステップにおいて記憶された画像ファイルが有する上記外乱情報を利用して上記加算演算ステップにおいて過去の画像データとの加算演算を実行させ、生成された画像の再生を行い、一方、上記設定ステップにおいて上記外乱情報に基づく表示を行わない設定を行った場合には、上記記憶ステップにおいて記憶された画像ファイルの画像データを上記加算演算ステップにおいて加算演算を実行させ、生成された画像の生成を行う制御ステップと、
を有することを特徴とする撮像方法。
【請求項５】
撮像部を備えた撮像装置におけるコンピュータを実行させる撮像制御プログラムにおいて、
上記撮像部から被写体像を画像データに変換する撮像ステップと、
上記画像データをファイル化するファイル化ステップと、
上記画像データの加算演算を行う加算演算ステップと、
外乱情報に基づく表示を行うか行わないかの設定を行う設定ステップと、
撮影開始から終了時のまでの間に、特定タイミングで得られた画像データ、外乱情報と共に時刻情報が記録された複数の画像ファイルを記憶する記憶ステップと、
撮影の実行中に特定のタイミングで上記撮像ステップにおいて上記画像データが出力されるたびに、上記画像データと、上記撮影の実行中に画面を横切る外乱を検出した場合には、上記外乱があったことを示す外乱情報を合せて上記ファイル化ステップによってファイル化を実行させる、上記設定ステップで上記外乱情報に基づく表示を行う設定を行った場合には、上記記憶ステップにおいて記憶された画像ファイルが有する上記外乱情報を利用して上記加算演算ステップにおいて過去の画像データとの加算演算を実行させ、生成された画像の再生を行い、一方、上記設定ステップにおいて上記外乱情報に基づく表示を行わない設定を行った場合には、上記記憶ステップにおいて記憶された画像ファイルの画像データを上記加算演算ステップにおいて加算演算を実行させ、生成された画像の生成を行う制御ステップと、
を上記コンピュータに実行させることを特徴とする撮像制御プログラム。
【発明の詳細な説明】
【技術分野】
【０００１】
本発明は、撮像装置、撮像方法、および撮像制御プログラムに関し、詳しくは、撮影中に特定のタイミングで画像データが出力されるたびに加算演算を行い、加算画像を生成する撮像装置、撮像方法、および撮像制御プログラムに関する。
【背景技術】
【０００２】
一般に、星空や花火、夜景等の被写体を撮影する場合にはバルブ撮影を利用することが多い。ただ、バルブ撮影は撮影対象や周囲条件に応じて適切な露光秒時（シャッタ開からシャッタ閉までの時間）が様々であり、撮影者は自身の判断で出来上がりの画像を見ることなく、露光時間を決めなければならなかった。そのため、その判断を誤ると露光不足、露光過多になってしまうという問題があった。
【０００３】
そこで、バルブ撮影等の際に、露光に応じて撮影画像を観察できると、リアルタイムで露光レベルを観察することができ、露光時間の判断が容易になる。例えば、特許文献１には、撮像動作中に、所定の時間間隔(例えば、１／１０秒)で撮像素子から画素信号を取り出し、順次加算した画像を液晶モニタに表示する撮像装置が開示されている。
【先行技術文献】
【特許文献】
【０００４】
【特許文献１】特開２００５−１１７３９５号公報
【発明の概要】
【発明が解決しようとする課題】
【０００５】
特許文献１に記載の撮像装置によれば、特定のタイミングで画像データを読出し、加算演算を行うことにより、露光の進み具合を確認することができるので、バルブ撮影でも大きな失敗を防ぐことができる。しかし、加算演算を行った結果を圧縮処理していることから、露出が適正でない場合には、適正な画像処理を施すことができないという不具合が発生するおそれがあった。また、加算画像を再生する際に、ユーザの好みに応じて画像表現を変更することができなかった。
【０００６】
本発明は、このような事情を鑑みてなされたものであり、撮影中に特定のタイミングで画像データが出力されるたびに加算演算を行い、加算画像を生成する場合に、露出が適正な画像を生成可能な撮像装置、撮像方法、および撮像制御プログラムを目的とする。
【課題を解決するための手段】
【０００７】
上記目的を達成するため第１の発明に係わる撮像装置は、被写体像を画像データに変換する撮像部と、上記画像データをファイル化するファイル化部と、上記画像データの加算演算を行う加算演算部と、外乱情報に基づく表示を行うか行わないかの設定を行う設定部と、撮影開始から終了時のまでの間に、特定タイミングで得られた画像データ、外乱情報と共に時刻情報が記録された複数の画像ファイルを記憶する記憶部と、撮影の実行中に特定のタイミングで上記撮像部から上記画像データが出力されるたびに、上記画像データと、上記撮影の実行中に画面を横切る外乱を検出した場合には、上記外乱が有ったことを示す外乱情報を合せて上記ファイル化部にファイル化を実行させ、上記設定部で上記外乱情報に基づく表示を行う設定を行った場合には、上記記憶部に記憶された画像ファイルが有する上記外乱情報を利用して上記加算演算部に過去の画像データとの加算演算を実行させ、生成された画像の再生を行い、一方、上記設定部で上記外乱情報に基づく表示を行わない設定を行った場合には、上記記憶部に記憶された画像ファイルの画像データを上記加算演算部で加算演算を実行させ、生成された画像の生成を行う制御部と、を有する。
第２の発明に係わる撮像装置は、上記第１の発明において、上記ファイル化部は、上記撮影の終了時に、上記加算演算した画像をファイル化する。
第３の発明に係わる撮像装置は、上記第１の発明において、上記撮像装置は、さらに、時刻情報を出力する時計部を有し、上記制御部は、上記特定のタイミングで出力された画像データをファイル化する際に、上記時刻情報も併せて記録し、再生の際には、上記時刻情報に基づいて上記加算演算部に過去の画像データと加算演算を実行させ、生成された画像の表示を行う。
【０００９】
第４の発明に係わる撮像方法は、撮像部から被写体像を画像データに変換する撮像ステップと、上記画像データをファイル化するファイル化ステップと、上記画像データの加算演算を行う加算演算ステップと、外乱情報に基づく表示を行うか行わないかの設定を行う設定ステップと、撮影開始から終了時のまでの間に、特定タイミングで得られた画像データ、外乱情報と共に時刻情報が記録された複数の画像ファイルを記憶する記憶ステップと、撮影の実行中に特定のタイミングで上記撮像ステップにおいて上記画像データが出力されるたびに、上記画像データと、上記撮影の実行中に画面を横切る外乱を検出した場合には、上記外乱があったことを示す外乱情報を合せて上記ファイル化ステップによってファイル化を実行させ、上記設定ステップで上記外乱情報に基づく表示を行う設定を行った場合には、上記記憶ステップにおいて記憶された画像ファイルが有する上記外乱情報を利用して上記加算演算ステップにおいて過去の画像データとの加算演算を実行させ、生成された画像の再生を行い、一方、上記設定ステップにおいて上記外乱情報に基づく表示を行わない設定を行った場合には、上記記憶ステップにおいて記憶された画像ファイルの画像データを上記加算演算ステップにおいて加算演算を実行させ、生成された画像の生成を行う制御ステップと、を有する。
【００１０】
第５の発明に係わる撮像制御プログラムは、撮像部を備えた撮像装置におけるコンピュータを実行させる撮像制御プログラムにおいて、上記撮像部から被写体像を画像データに変換する撮像ステップと、上記画像データをファイル化するファイル化ステップと、上記画像データの加算演算を行う加算演算ステップと、外乱情報に基づく表示を行うか行わないかの設定を行う設定ステップと、撮影開始から終了時のまでの間に、特定タイミングで得られた画像データ、外乱情報と共に時刻情報が記録された複数の画像ファイルを記憶する記憶ステップと、撮影の実行中に特定のタイミングで上記撮像ステップにおいて上記画像データが出力されるたびに、上記画像データと、上記撮影の実行中に画面を横切る外乱を検出した場合には、上記外乱があったことを示す外乱情報を合せて上記ファイル化ステップによってファイル化を実行させる、上記設定ステップで上記外乱情報に基づく表示を行う設定を行った場合には、上記記憶ステップにおいて記憶された画像ファイルが有する上記外乱情報を利用して上記加算演算ステップにおいて過去の画像データとの加算演算を実行させ、生成された画像の再生を行い、一方、上記設定ステップにおいて上記外乱情報に基づく表示を行わない設定を行った場合には、上記記憶ステップにおいて記憶された画像ファイルの画像データを上記加算演算ステップにおいて加算演算を実行させ、生成された画像の生成を行う制御ステップと、を上記コンピュータに実行させる。
【発明の効果】
【００１１】
本発明によれば、撮影中に特定のタイミングで画像データが出力されるたびに加算演算を行い、加算画像を生成する場合に、露出が適正な画像を生成可能な撮像装置、撮像方法、および撮像制御プログラムを提供することができる。
【図面の簡単な説明】
【００１２】
【図１】本発明の第１実施形態に係わるデジタル一眼レフカメラを背面から見た外観斜視図である。
【図２】本発明の第１実施形態に係わるデジタル一眼レフカメラの電気系の全体構成を示すブロック図である。
【図３】本発明の第１実施形態に係わるデジタル一眼レフカメラにおいて、バルブモード等の撮像および表示に関連する構成を抽出して示したブロック図である。
【図４】本発明の第１実施形態におけるパワーオンリセットの動作を示すフローチャートである。
【図５】本発明の第１実施形態における更新時間入力の動作を示すフローチャートである。
【図６】本発明の第１実施形態における撮影動作を示すフローチャートである。
【図７】本発明の第１実施形態における露光動作を示すフローチャートである。
【図８】本発明の第１施形態におけるバルブモード撮影時の表示を示す図であり、（ａ）から（ｇ）は更新時間の経過に伴って変化する表示を示す。
【図９】本発明の第１実施形態に係わるデジタル一眼レフカメラの撮影情報表示を示す図である。
【図１０】本発明の第１実施形態に係わるデジタル一眼レフカメラの更新表示を示す図であり、（ａ）から（ｅ）はそれぞれ異なる更新時間の表示を示す。
【図１１】本発明の第２実施形態における露光動作を示すフローチャートである。
【図１２】本発明の第３実施形態における露光動作を示すフローチャートである。
【図１３】本発明の第４実施形態における露光動作を示すフローチャートである。
【図１４】本発明の第４実施形態における露光動作を示すフローチャートである。
【図１５】本発明の第１実施形態におけるＲＡＷデータのファイル構造を示す図である。
【図１６】本発明の第１実施形態における再生表示を示す図である。
【図１７】本発明の第１実施形態における再生表示を示す図である。
【発明を実施するための形態】
【００１３】
以下、図面に従って本発明を適用したデジタル一眼レフカメラを用いて好ましい実施形態について説明する。図１は、本発明の第１実施形態に係るデジタル一眼レフカメラについて背面からみた外観斜視図である。
【００１４】
このデジタル一眼レフカメラは、カメラ本体２００と交換レンズ１００とから構成されている。カメラ本体２００の上面にはレリーズ釦２１、撮影モードダイヤル２２、情報設定ダイヤル２４、ストロボ５０等が配置されている。レリーズ釦２１は、撮影者が半押しするとオンする第１レリーズスイッチと、全押しするとオンする第２レリーズスイッチを有している。この第１レリーズスイッチ（以下、１Ｒと称する）のオンによりカメラは焦点検出、撮影レンズのピント合わせ、被写体輝度の測光等の撮影準備動作を行い、第２レリーズスイッチ（以下、２Ｒと称する）のオンによりカメラは撮像素子２２１（図２参照）の出力に基づいて被写体像の画像データの取り込みを行う撮影動作を実行する。
【００１５】
撮影モードダイヤル２２は回転可能に構成された操作部材であり、撮影モードダイヤル２２上に設けられた撮影モードを表す絵表示または記号を指標に合致させることにより、プログラム撮影モード（Ｐ）、絞り優先撮影モード（Ａ）、シャッタ撮影優先モード（Ｓ）、マニュアル撮影モード（Ｍ）、バルブモード（Ｂ）等の各撮影モードを選択することができる。
【００１６】
情報設定ダイヤル２４は回転可能に構成された操作部材であり、情報表示画面等において、情報設定ダイヤル２４の回転操作により所望の設定値やモード等を選択することができる。バルブモードが設定されたときには、露光中の画像表示の更新時間の設定を行うことができる。ストロボ５０は、ポップアップ式の補助照明装置であり、図示しない操作釦を操作することにより、ストロボ５０がポップアップし被写体に対して照射可能となる。
【００１７】
カメラ本体２００の背面には、液晶モニタ２６、連写／単写釦２７、ＡＥロック釦２８、アップ用十字釦３０Ｕ、ダウン用十字釦３０Ｄ、右用十字釦３０Ｒ、左用十字釦３０Ｌ（これらの各十字釦３０Ｕ、３０Ｄ、３０Ｒ、３０Ｌを総称する際には、十字釦３０と称する）、ＯＫ釦３１、ライブビュー表示釦３３、拡大釦３４、メニュー釦３７、再生釦３８が配置されている。液晶モニタ２６は、ライブビュー表示を行い、また、撮影済みの被写体像を再生表示し、撮影情報やメニューを表示するための表示装置である。また、バルブ撮影時には、露光動作中に撮像素子２２１によって取得した画像信号に基づいて画像を表示する。これらの表示を行うことができるものであれば、液晶に限らない。
【００１８】
連写／単写釦２７は、レリーズ釦２１が全押しされている間は連続して撮影する連写モードと、レリーズ釦２１が全押しされると、１駒、撮影する単写モードのモード切り換え用の操作部材である。ＡＥロック釦２８は、測光値を固定するための操作部材である。これによって、撮影対象の輝度を測定した後、このＡＥロック釦２８を操作すると、構図を変更しても測光値が保持され、露光レベルが変化しないで撮影を行うことができる。
【００１９】
十字釦３０は液晶モニタ２６上で、Ｘ方向とＹ方向の２次元方向にカーソルの移動を指示するための操作部材であり、また、記録媒体２７７に記録された被写体像を再生表示するにあたって、被写体像の選択指示にも使用する。なお、アップ、ダウン、左、右用の４つの釦を設ける以外にも、タッチスイッチのように２次元上で操作方向を検出できるスイッチ等、２次元方向に操作できる操作部材に置き換えることも可能である。ＯＫ釦３１は、十字釦３０やコントロールダイヤル２４等によって選択された各種項目を確定するための操作部材である。
【００２０】
ライブビュー表示釦３３は、情報表示等の表示画面からライブビュー表示に切り換え、またはライブビュー表示から情報表示等の表示画面に切り換えるための操作釦である。なお、ライブビュー表示は、被写体像記録用の撮像素子２２１の出力に基づいて液晶モニタ２６に被写体像を観察用に表示するモードであり、情報表示はデジタル一眼レフカメラの撮影情報を表示設定するために液晶モニタ２６に表示されるモードである。拡大釦３４は、液晶モニタ２６に被写体像の一部分を拡大表示するための操作部材であり、前述の十字釦３０を操作することによって拡大位置を変更することができる。
【００２１】
メニュー釦３７は、このデジタル一眼レフカメラの各種モードを設定するためのメニューモードに切り換えるための操作部材であり、このメニュー釦３７の操作によってメニューモードを選択すると、液晶モニタ２６にメニュー画面が表示される。メニュー画面は複数の階層構造となっており、十字釦３０で各種項目を選択し、ＯＫ釦３１の操作により選択を決定する。再生釦３８は、撮影後に記録した被写体画像を液晶モニタ２６に表示させることを指示するための操作釦である。後述するＳＤＲＡＭ（Synchronous Dynamic Random Access Memory）２６７、記録媒体２７７にＪＰＥＧ等の圧縮モードで記憶されている被写体の画像データを伸張して表示する。
【００２２】
カメラ本体２００の背面であって、接眼窓に隣接した位置にバルブ表示用ＬＥＤ（Light Emitting Diode）４１が配置されている。このバルブ表示用ＬＥＤ４１は、バルブ撮影の実行中に発光し、ユーザにバルブ撮影中であることを表示する。カメラ本体２００の側面には、記録媒体収納蓋４０が開閉自在に取り付けられている。この記録媒体収納蓋４０を開放すると、この内部に記録媒体２７７用の装填スロットが設けられており、記録媒体２７７はカメラ本体２００に対して、着脱自在に装填可能となっている。
【００２３】
次に、図２を用いて、デジタル一眼レフカメラの電気系を主とする全体構成を説明する。本実施形態では、交換レンズ１００とカメラ本体２００は別体で構成され、通信接点３００にて電気的に接続されているが、交換レンズ１００とカメラ本体２００を一体に構成することも可能である。なお、内蔵式のストロボ５０の回路ブロックは図２において、省略してある。
【００２４】
交換レンズ１００の内部には、焦点調節および焦点距離調節用の撮影光学系１０１と、開口量を調節するための絞り１０３が配置されている。撮影光学系１０１はレンズ駆動機構１０７によって駆動され、絞り１０３は絞り駆動機構１０９によって駆動されるよう接続されている。
【００２５】
レンズ駆動機構１０７および絞り駆動機構１０９は、それぞれレンズＣＰＵ１１１に接続されており、このレンズＣＰＵ１１１は通信接点３００を介してカメラ本体２００の通信回路２７３に接続されている。レンズＣＰＵ１１１は交換レンズ１００内の制御を行うものであり、レンズ駆動機構１０７を制御してピント合わせや、ズーム駆動を行うとともに、絞り駆動機構１０９を制御して絞り値制御を行う。また、レンズＣＰＵ１１１は、交換レンズ１００の開放絞り値や焦点距離情報等のレンズ固有情報や、光学系位置検出機構(不図示)によって検出された焦点距離や焦点位置情報を、カメラ本体２００に送信する。
【００２６】
カメラ本体２００内には、被写体像を観察光学系に反射するためにレンズ光軸に対して４５度傾いた位置（下降位置、被写体像観察位置）と、被写体像を撮像素子２２１に導くために跳ね上がった位置（上昇位置、退避位置）との間で、回動可能な可動ミラー２０１が設けられている。この可動ミラー２０１の上方には、被写体像を結像するためのフォーカシングスクリーン２０５が配置され、このフォーカシングスクリーン２０５の上方には、被写体像を左右反転させるためのペンタプリズム２０７が配置されている。
【００２７】
このペンタプリズム２０７の出射側(図２で右側)には被写体像観察用の接眼レンズ（不図示）が配置され、この脇であって被写体像の観察に邪魔にならない位置に測光センサ２１１が配置されている。この測光センサ２１１は、測光処理回路２４１に接続され、測光センサ２１１の出力は、この測光処理回路２４１によって増幅処理やアナログ−デジタル変換等の処理がなされる。
【００２８】
上述の可動ミラー２０１の中央付近はハーフミラーで構成されており、この可動ミラー２０１の背面には、ハーフミラー部で透過した被写体光をカメラ本体２００の下部に反射するためのサブミラー２０３が設けられている。このサブミラー２０３は、可動ミラー２０１に対して回動可能であり、可動ミラー２０１が跳ね上がっているときには（図２において破線位置）、ハーフミラー部を覆う位置に回動し、可動ミラー２０１が被写体像観察位置（下降位置）にあるときには、図示する如く可動ミラー２０１に対して開いた位置にある。
【００２９】
この可動ミラー２０１は可動ミラー駆動機構２３９によって駆動されている。また、サブミラー２０３の下方には焦点検出センサ２４３が配置されており、この焦点検出センサ２４３の出力は焦点検出処理回路２４５に接続されている。焦点検出センサ２４３は、撮影光学系１０１によって結像される被写体像の焦点ズレ量（デフォーカス量）を測定するために、撮影光学系１０１の周辺光束を２光束に分離する公知の位相差ＡＦ光学系と１対のセンサとから構成されている。
【００３０】
可動ミラー２０１の後方には、露光時間制御用のフォーカルプレーンタイプのシャッタ２１３が配置されており、このシャッタ２１３はシャッタ駆動機構２３７によって駆動制御される。シャッタ２１３の後方には撮像素子２２１が配置されており、撮影光学系１０１によって結像される被写体像を電気信号に光電変換する。なお、撮像素子２１１としては、ＣＣＤ（Charge Coupled Devices）またはＣＭＯＳ（Complementary
Metal Oxide Semiconductor）等の二次元撮像素子を使用できることは言うまでもない。
【００３１】
前述のシャッタ２１３と撮像素子２２１の間には、被写体光束から赤外光成分と、高周波成分を除去するための光学フィルタである赤外カットフィルタ・ローパスフィルタ２１７が配置されている。
【００３２】
撮像素子２２１は撮像素子駆動回路２２３に接続され、この撮像素子駆動回路２２３によって、撮像素子２２１から画像信号の読出し等が行われる。撮像素子駆動回路２２３は、画像信号のアナログデジタル変換を行うＡＤＣ（Analogue Digital Converter）回路２２５に接続されている。ＡＤＣ回路２２５の出力は、暗電流除去回路２２７に接続されている。暗電流除去回路２２７は、撮像素子２２１で発生する暗電流を除去するための回路であり、撮像素子２２１の周辺部の遮光領域で発生した暗電流を用いて、被写体像を表す画像データを補正する。
【００３３】
暗電流除去回路２２７は、ＡＳＩＣ（Application Specific Integrated Circuit  特定用途向け集積回路）２５０内のデータバス２５２に接続されている。このデータバス２５２には、シーケンスコントローラ(以下、「ボディＣＰＵ」と称す)２５１、画像処理回路２５７、ファイル化部２５９、ビデオ信号出力回路２６１、ＳＤＲＡＭ制御回路２６５、入出力回路２７１、通信回路２７３、記録媒体制御回路２７５、フラッシュメモリ制御回路２７９、スイッチ検知回路２８３、表示用ＬＥＤ４１、時計部２８７、測温回路２８９が接続されている。
【００３４】
データバス２５２に接続されているボディＣＰＵ２５１は、このデジタル一眼レフカメラの動作を制御するものである。データバス２５２に接続された画像処理回路２５７は、撮像素子２２１から出力されＡＤＣ回路２２５等によって処理されたＲＡＷデータを入力し、デジタル的増幅（デジタルゲイン調整処理）、色補正、ガンマ（γ）補正、コントラスト補正、画質補正等を行い、またライブビュー表示用画像生成等の各種の画像処理を行なう。
【００３５】
ファイル化部２５９はＳＤＲＡＭ２６７に記憶されたＲＡＷデータを、記録媒体２７７に記録用にファイル化処理を行う。このファイル化部２５９は、画像圧縮処理回路やＲＡＷデータファイル生成回路等を有する。画像圧縮回路は、ＪＰＥＧやＴＩＦＦ等の圧縮方式で圧縮し、また、圧縮画像データを伸張するための回路である。なお、画像圧縮はＪＰＥＧやＴＩＦＦに限らず、他の圧縮方式も適用できる。また、圧縮した画像データはＥＸＩＦによる処理を行う。ＲＡＷデータファイル生成回路は、ＲＡＷデータ、サムネイル画像データ、撮影情報等に基づいて、ＲＡＷデータファイルを生成する。撮影情報等としては、時計部２８７から出力される撮影時の時刻情報や測温回路２８９から出力される温度情報等がある。
【００３６】
ビデオ信号出力回路２６１は液晶モニタ駆動回路２６３を介して液晶モニタ２６に接続される。ビデオ信号出力回路２６１は、ＳＤＲＡＭ２６７、記録媒体２７７に記憶された画像データを、液晶モニタ２６に表示するためのビデオ信号に変換するための回路である。液晶モニタ２６は、図１に示すように、カメラ本体２００の背面に配置されるが、撮影者が観察できる位置であれば、背面に限らないし、また液晶に限らず他の表示装置でも構わない。液晶モニタ２６の裏面側には、液晶モニタ２６を照明する液晶モニタバックライト２６ａが配置され、液晶モニタ駆動回路２６３によって駆動制御される。
【００３７】
ＳＤＲＡＭ２６７は、ＳＤＲＡＭ制御回路２６５を介してデータバス２５２に接続されており、このＳＤＲＡＭ２６７は、画像処理回路２５７によって画像処理された画像データまたはファイル化部２５９によって生成された画像ファイルを一時的に記憶するためのバッファメモリである。
【００３８】
上述の撮像素子駆動回路２２３、シャッタ駆動機構２３７、可動ミラー駆動機構２３９、測光処理回路２４１、焦点検出処理回路２４５に接続される入出力回路２７１は、データバス２５２を介してボディＣＰＵ２５１等の各回路とデータの入出力を制御する。
【００３９】
レンズＣＰＵ１１１と通信接点３００を介して接続された通信回路２７３は、データバス２５２に接続され、ボディＣＰＵ２５１等とのデータのやりとりや制御命令の通信を行う。データバス２５２に接続された記録媒体制御回路２７５は、記録媒体２７７に接続され、この記録媒体２７７への画像ファイル等の記録及び画像ファイル等の読み出しの制御を行う。
【００４０】
記録媒体２７７は、ｘＤピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００４１】
フラッシュメモリ制御回路２７９は、フラッシュメモリ（Flash Memory）２８１に接続され、このフラッシュメモリ２８１は、デジタル一眼レフカメラの動作を制御するためのプログラムが記憶されており、ボディＣＰＵ２５１はこのフラッシュメモリ２８１に記憶されたプログラムに従ってデジタル一眼レフカメラの制御を行う。なお、フラッシュメモリ２８１は、電気的に書換え可能な不揮発性メモリである。
【００４２】
レリーズ釦２１の第1ストローク（半押し）を検出する１Ｒスイッチや、第２ストローク（全押し）を検出する２Ｒスイッチ、パワースイッチ、メニュー釦３７に連動するメニュースイッチ、撮影モードダイヤル２２に連動するダイヤルスイッチ、情報設定ダイヤル２４に連動するダイヤルスイッチ、その他の操作部材に連動する各種スイッチを含む各種スイッチ２８５は、スイッチ検知回路２８３を介してデータバス２５２に接続されている。また、データバス２５２に接続された表示用ＬＥＤ４１は、ボディＣＰＵ２５１の点灯指示に応じて発光し、消灯指示に応じて消灯する。
【００４３】
時計部２８７は、計時機能を有すると共に、日時等の時刻情報を出力する。画像データ等を用いて画像ファイルを生成する際に、この時刻情報も記録される。測温回路２８９は、カメラ本体２００内の撮像素子２２１等の周囲の環境温度を測定する回路であり、測温情報も画像ファイルを生成する際に、記録される。
【００４４】
次に、画像ファイル生成の際にファイル化部２５９によって生成されるＲＡＷデータファイルの構造について、図１５を用いて説明する。このＲＡＷデータファイルの構造は、一般に知られていることから、ここでは、概略のみを説明する。
【００４５】
ＲＡＷデータファイルは、図１５に示すように、ＥＸＩＦに準拠したフォーマットでＲＡＷデータを記録するファイルであり、ＥＸＩＦと同様にヘッダーが設けられ、ＩＦＤ（Image File Directory）により各種のデータが割り当てられる。
【００４６】
ＲＡＷデータファイルは、ファイル先頭のフィールドＦ１に、メイン画像データの再生に必要な情報（メイン画像データＩＦＤ０）、このメイン画像データの撮影時の情報（撮影情報ＩＦＤ１）が記録される。
【００４７】
またＲＡＷデータファイルは、続くフィールドＦ２に、ファイル化部２５９で生成されるＪＰＥＧでデータ圧縮したサムネイル画像データが割り当てられ、さらに続くフィールドＦ３に、このカメラ本体２００のメーカが独自に定義した情報（平文部メーカノートＩＦＤ）が記録される。ＲＡＷデータファイルは、これら先頭３フィールドＦ１〜Ｆ３がＥＸＩＦのフォーマットで作成されることから、ＥＸＩＦのファイルを処理可能な各種アプリケーションによっても、メイン画像データに割り当てたＲＡＷデータを再生できるように形成される。
【００４８】
続いて、ＲＡＷデータファイルは、メイン画像データの撮影時の撮影情報ＤＳ０が割り当てられる。具体的には、フィールドＦ４に、ＲＡＷデータＤＲの撮影時における交換レンズ１００の絞りの設定（０ＥＶ、−１ＥＶ等の設定）、シャッタ速度、撮影モード等が記録される。続くフィールドＦ５に、撮影時を再現する画像処理に必要なパラメータが記録される。例えば、絞りは、先頭側のフィールドＦ４に、例えば０ＥＶと記録され、続くフィールドＦ５の画像処理情報ＤＳ０Ａに、具体的な絞り値５．６等が記録される。
【００４９】
またＲＡＷデータファイルは、続くフィールドＦ６に、各種の切り出し用基準情報ＤＳ０Ｂが設定される。具体的には、撮影時の合焦位置情報、撮影時の背景位置情報等が記録される。ここで、撮影時刻情報（Ｔｓｔ−Ｔｆｎ）は、撮影時に時計部２８７から出力された時刻情報に基づいて記録される。また、加算前画像フラグは、後述するように、本実施形態においては、更新時間が経過するたびに、撮像素子２２１から画像データが読み出される、加算処理を行うと共にＲＡＷデータの記録を行うが、この加算前画像フラグは、加算演算を行う前の画像データであることを示す。同様に、加算後画像フラグは、加算演算を行った後の画像データであることを示す。
【００５０】
また、フィールドＦ６に記録されるユーザ表示更新フラグは、バルブ撮影等において任意の時間で露出の進み具合をユーザが確認するために表示させた場合に、そのような操作を行ったことを示すフラグである。振動有無情報は、ブレ検知部（不図示）によってカメラ本体２００に加えられた振動の有無を示す情報である。外乱横切り情報は、画面を横切るような外乱画像の有無を示す情報である。撮像素子温度情報は、測温回路２８９によって検出された温度情報である。ＲＡＷデータファイルは、他の各種のパラメータが順次割り当てられてこのメイン画像データの撮影時の撮影情報ＤＳ０が形成される。
【００５１】
またＲＡＷデータファイルは、続いて編集処理の撮影情報ＤＳ１、ＤＳ２、……が記録される。編集処理の撮影情報ＤＳ１、ＤＳ２、……は、編集処理で設定される撮影情報であり、撮影時の撮影情報ＤＳ０に割り当てた撮影時を再現する画像処理情報ＤＳ０Ａに対応して設定される。撮影情報ＤＳ１、ＤＳ２、……は、撮影時の撮影情報ＤＳ０のフィールドＦ４に割り当てた絞りの設定、シャッタ速度、撮影モード等の撮影情報に、履歴の情報が追加されて、先頭側のフィールドＦ７が形成される。続くフィールドＦ８に、直前フィールドＦ７に割り当てた撮影情報に対応する具体的な画像処理情報が記録される。
【００５２】
ＲＡＷデータファイルは、編集処理の撮影情報ＤＳ１、ＤＣ２、…… の領域に続いて、サムネイル画像データＤＴの再生に必要な情報が割り当てられ、さらに続くフィールドにサムネイル画像データＤＴが割り当てられる。また続いてメイン画像データであるＲＡＷデータＤＲが割り当てられる。ＲＡＷデータファイルは、このメイン画像データに続いて、撮影時の撮影情報ＤＳ０に割り当てた切り出し用基準情報（フイールドＦ６）に対応する情報であって、編集処理時に設定した切り出し用基準情報を追加可能に形成される。なお、上述の説明にあたっては、画像データ毎に管理しているが、複数の画像を一括して管理するようにしてもよい。例えば、特開２０１２−１５９６７号公報の図６に記載されているような、複数の画像データを１つのファイルで管理しても良い。この場合も、各画像の特徴をタグで明記する考え方は上述の例と同じであるので、ここでは詳しい説明を省略する。
【００５３】
次に、バルブ撮影における露光中の画像表示に関連する構成について、図３を用いて説明する。制御部２９７は、デジタル一眼レフカメラ全体を制御するボディＣＰＵ２５１によって構成される。撮像部２９１は、前述の撮像素子２２１、撮像素子駆動回路２２３、ＡＤＣ回路２２５、暗電流除去回路２２７等を含み、画像信号に基づく画像データを出力する。撮像部２９１の出力は加算演算部２９４に接続されている。
【００５４】
加算演算部２９４は、バルブ撮影中に所定時間毎に取得した画像を加算演算し、加算画像データを生成する。一時記憶部２９３は、ＳＤＲＡＭ２６７等の一時記憶装置によって構成され、加算演算部２９４において演算された加算画像データを一時的に記憶し、制御部２９７からの制御命令に従って既に記憶済みの加算画像データを加算演算部２９４に供給し、新たな加算画像データを改めて記憶する。加算演算部２９４は、ボディＣＰＵ２５１および画像処理回路２５７等によって構成され、制御部２９７からの制御命令に従って一時記憶部２９３に既に記憶されている加算画像データと最新の画像データとの加算演算を行う。
【００５５】
加算画像記録部２９５は、前述した記録媒体２７７のような記録媒体によって構成され、加算演算部２９４において加算演算された最終的な加算画像データを、制御部２９７の制御命令に従って一時記憶部２９３から読み出して記憶する。なお、特定のタイミング（例えば、更新時間間隔）で出力される加算前の画像データは、ファイル化部２５９によって画像ファイル（ＲＡＷ画像ファイル）に変換され、この変換された画像ファイルは、画像記録部２９５に保存される。画像表示部２９６は、液晶モニタ２６、液晶モニタ駆動回路２６３等によって構成され、加算演算部２９４で加算演算された加算画像データが一時記憶部２９３に更新記憶されるたびに、制御部２９７の制御命令に従って一時記憶部２９３から読み出して表示する。
【００５６】
表示照明部２９８は、液晶モニタバックライト２６ａ、液晶モニタ駆動回路２６３等によって構成され、画像表示部２９６の照明を行い、撮影者が暗所でも画像表示部２９６を容易に視認できるようにする。告知部２９９は、表示用ＬＥＤ４１等によって構成され、バルブ撮影を実行中に点灯し、撮影者に告知する。なお、告知部２９９としては、ＬＥＤに限らず、電球等、他の表示素子でも勿論かまわない。
【００５７】
このように構成されているので、設定された更新時間毎に、撮像部２９１によって取得された画像データが、順次、加算演算部２９４によって加算され、この加算画像は画像表示部２９６に表示されるように、制御部２９７は制御する。バルブ撮影時における液晶モニタ２６での表示としては、まず、バルブ露光開始時に液晶モニタ２６に告知情報３１０ａが表示され（図８（ａ））、また、告知部２９９が点灯する。
【００５８】
また、露光開始から画像データが累積加算され、更新時間が経過するたびに、図８（ｂ）〜（ｇ）のように、液晶モニタ２６に加算画像が表示される。図８（ｂ）の段階では、露光時間が十分ではないため暗い画像であるが、その後、何度も繰り返し画像が累積加算されると、次第に明るい画像に変化し、図８（ｇ）のように、露光オーバー気味の画像が表示される。
【００５９】
さらに、更新時間の経過時には、更新時から所定時間の間、表示照明部２９８によって画像表示部２９６に照明がなされ、液晶モニタ２６に表示される加算画像を容易に観察することができる。所定時間が経過すると、表示照明部２９８による照明が消灯し、その後、再び更新時間が経過すると、表示照明部２９８による照明が再開する。このように、表示照明部２９８は、常時照明しておらず、電源の浪費を防止することができる。また、バルブ撮影中は、常時、告知部２９９が表示状態となっているので、撮影者はバルブ撮影が実行中であることを容易に確認することができる。
【００６０】
次に、本発明の第１実施形態におけるデジタル一眼レフカメラの動作の詳細について図４乃至図７に示すフローチャートを用いて説明する。このフローチャートは、ボディＣＰＵ２５１がフラッシュメモリ２８１に記憶されたプログラムに従って実行する。図４は、カメラ本体２００側のボディＣＰＵ２５１によるパワーオンリセットの動作である。カメラ本体２００に電池が装填されると、このフローがスタートし、カメラ本体２００のパワースイッチがオンであるか否かを判定する（＃１）。
【００６１】
判定の結果、パワースイッチがオフの場合には、低消費電力の状態であるスリープ状態となる（＃３）。このスリープ状態ではパワースイッチがオンとなった場合のみに割り込み処理を行い、ステップ＃５以下においてパワースイッチオンのための処理を行う。パワースイッチがオンとなるまでは、パワースイッチ割り込み処理以外の動作を停止し、電源電池の消耗を防止する。ステップ＃１において、パワースイッチがオンであった場合、またはステップ＃３におけるスリープ状態を脱した場合には、電源供給を開始する（＃５）。
【００６２】
次に、撮影モードダイヤル２２によって設定された撮影モードや、情報設定ダイヤル２４によって設定されたＩＳＯ感度、マニュアル設定されたシャッタ速度や絞り値等の情報があればそれらの撮影条件、およびレンズ情報の読み込みを行う（＃７）。レンズ情報の読み込みは、レンズＣＰＵ１１１から通信回路２７３を介して交換レンズ１００の開放絞り値や焦点距離情報等のレンズ固有情報の読み込みを行う。このステップで、バルブモードが設定されている場合には、この情報が読み込まれる。
【００６３】
続いて、バルブモードが設定されたか否かの判定を行う（＃９）。ステップ＃７において撮影モードを読み込んでいることから、読み込まれた撮影モードとしてバルブモードが設定されたか否かの判定を行う。判定の結果、バルブモードが設定されていなかった場合には、測光・露光量演算を行なう（＃１１）。このステップでは、測光センサ２１１によって被写体輝度を測光し、露光量を演算し、この露光量を用いて撮影モード・撮影条件に従ってシャッタ速度や絞り値等の露光制御値の演算を行う。
【００６４】
ステップ＃９における判定の結果、バルブモードが設定されていた場合には、更新時間（画像データを繰り返し出力する周期）の入力を行う（＃３１）。この更新時間の入力については、図５を用いて後述する。更新時間の入力が終わると、ステップ＃１３にジャンプする。バルブモードの場合には、測光に係わりなくユーザ操作によってシャッタ２１３の開閉が行われることから、ステップ＃１１の測光・露光量演算は実行されない。
【００６５】
次に、撮影情報を液晶モニタ２６に表示する（＃１３）。撮影情報としては、ステップ＃７において読み込んだ撮影モード・撮影条件等と、ステップ＃１１において演算したシャッタ速度や絞り値の露出制御値等である。撮影モードとして、バルブモードが設定された場合には、図９に示すように、バルブモード表示３０１や更新時間表示３０２が、他の撮影情報と共に、液晶モニタ２６上に表示される。
【００６６】
撮影情報の表示を行うと、次に、再生釦３８に連動する再生スイッチがオンか否かの判定を行う（＃１７）。再生モードは、再生釦３８が操作された際に、記録媒体２７７に記録された画像データを読み出して液晶モニタ２６に表示するモードである。判定の結果、再生スイッチがオンの場合には、再生動作を実行する（＃３３）。再生動作では、記録媒体２７７に記録されている画像ファイルを読出し、背面液晶モニタ２６が画像を再生表示する。バルブ画像等を再生表示する際には、画像ファイルに記録されている時刻情報を利用して画像再生を行う。この再生表示については、図１６、図１７を用いて後述する。
【００６７】
ステップ＃１７における判定の結果、再生スイッチがオンではなかった場合には、メニュー釦３７に連動するメニュースイッチがオンか否かの判定を行なう（＃１９）。このステップでは、メニュー釦３７が操作され、メニューモードが設定されたか否かを判定する。判定の結果、メニュースイッチがオンであった場合には、液晶モニタ２６にメニュー表示し、メニュー設定動作を行う（＃３５）。メニュー設定動作によって、ＡＦモード、ホワイトバランス、ＩＳＯ感度設定、ドライブモードの設定等、各種の設定動作を行うことができる。
【００６８】
ステップ＃１９における判定の結果、メニュースイッチがオンでなかった場合には、レリーズ釦２１が半押しされたか、すなわち、１Ｒスイッチがオンか否かの判定を行う（＃２１）。判定の結果、１Ｒスイッチがオンであった場合には、撮影準備と撮影を行う撮影動作のサブルーチンを実行する（＃３７）。このサブルーチンの詳細は図６を用いて後述する。
【００６９】
ステップ＃２１における判定の結果、１Ｒスイッチがオンでなかった場合には、ステップ＃１と同様に、パワースイッチがオンか否かの判定を行なう（＃２３）。判定の結果、パワースイッチがオンであった場合には、ステップ＃７に戻り、前述の動作を繰り返す。一方、パワースイッチがオンではなかった場合には、電源供給を停止し（＃２５）、ステップ＃３に戻り、前述のスリープ状態となる。
【００７０】
次に、ステップ＃３１の更新時間の入力動作について、図５を用いて説明する。このサブルーチンに入ると、まず、更新時間を入力するために、情報設定ダイヤル２４が操作されたか否かの判定を行う（＃４５）。判定の結果、情報設定ダイヤル２４が操作されていなかった場合には、元のルーチンに戻る。一方、情報設定ダイヤル２４が操作されていた場合には、スイッチ検知回路２８３はその回転方向を検出する（＃４７）。
【００７１】
続いて、検出された回転方向が更新時間を減少させる方向か否かの判定を行う（＃４９）。判定の結果、更新時間を減少させる回転方向の場合には、前回の更新時間が下限値に達しているか否かの判定を行う（＃５１）。下限値は、適宜設定すればよいが、例えば０．１秒程度であればよい。判定の結果、下限値に達していなかった場合には、現在の設定状態から順に所定のステップで更新時間を短くする（＃５３）。
【００７２】
更新時間は、図９に示したように、液晶モニタ２６上の撮影情報中に更新表示３０２として表示されるが、情報設定ダイヤル２４によって更新時間を短くする方向に回転操作させるたびに、例えば、現在の設定状態が初期値の３０秒であれば、図１０（ｃ）から（ａ）の下限値の方向に向け、所定のステップで徐々に減少する。このステップは、使い勝手を考慮して適宜決定すれば良い。更新時間短縮が終わると、元のルーチンに戻る。
【００７３】
ステップ＃４９における判定の結果、減少方向でなかった場合には、前回の更新時間が上限値に達しているか否かの判定を行う（＃５５）。上限値は適宜設定すればよいが、例えば、暗電流の影響を受けない時間程度として、９分としてもよい。判定の結果、上限値に達していなかった場合には、所定のステップで更新時間を延ばす（＃５７）。情報設定ダイヤル２４によって更新時間を長くする方向に回転操作させるたびに、現在の状態から図１０（ｅ）の上限値の方向に向け、所定のステップで徐々に増加する。更新時間伸長が終わると、元のルーチンに戻る。なお、この更新時間間隔は一例であり、適宜変更できる。
【００７４】
次に、ステップ＃３７における撮影動作について、図６を用いて説明する。このサブルーチンは、１Ｒスイッチがオンになるとスタートし、まず、液晶モニタ２６に表示されている撮影情報をオフする（＃６１）。続いて、位相差ＡＦ制御のサブルーチンを実行する（＃６３）。このサブルーチンでは、公知の位相差ＡＦにより撮影光学系１０１の焦点ズレ方向および焦点ズレ量を検出し、この焦点ズレ方向・焦点ズレ量に基づいて光学系駆動機構１０７の駆動制御を行い、撮影光学系１０１のピント合わせを行う。
【００７５】
位相差ＡＦが終わると、ステップ＃９と同様に、バルブモードが設定されているか否かを判定する（＃６５）。判定の結果、バルブモードが設定されていなかった場合には、測光・露光量演算を行い、シャッタ速度や絞り値等の露出制御値を求める（＃６７）。一方、判定の結果バルブモードが設定されていた場合には、ステップ＃６７をスキップし、ステップ＃６９に進む。バルブモードの場合には、前述したように、シャッタ２１３の開閉時間は撮影者によって決められ、測光および露光量演算は不要のためである。
【００７６】
続いて、シャッタ釦２１が全押しされたか、すなわち、２Ｒスイッチがオンか否かを判定する（＃６９）。判定の結果、２Ｒスイッチがオンとはなっていなかった場合には、１Ｒスイッチがオンか否かを判定する（＃８９）。判定の結果、１Ｒスイッチがオンではなかった場合には、撮影動作を終了して、元のルーチンに戻る。一方、判定の結果、１Ｒスイッチがオンの場合には、ステップ＃６９に戻り、１Ｒスイッチと２Ｒスイッチの状態を検出する待機状態となる。
【００７７】
ステップ＃６９における判定の結果、２Ｒスイッチがオンとなると、撮影を行なうためのステップに移る。まず、可動ミラー２０１の退避動作（上昇位置へ移動）を行う（＃７１）。これによって、撮影光学系１０１による被写体光束が撮像素子２２１の方向に導かれる。続いて、レンズＣＰＵ１１１に絞込み動作を指示し、絞り１０３の絞り込み動作を実行させる（＃７３）。
【００７８】
これで、通常の撮影動作もしくはバルブ撮影動作に入る準備ができたので、露光動作を開始する（＃７５）。露光は、シャッタ２１３の先幕の走行を開始させると共に、撮像素子２２１の電荷蓄積を開始する。ステップ＃６７で求められたシャッタ速度もしくは撮影者によって手動設定されたシャッタ速度に対応する時間が経過すると、シャッタ２１３の後幕の走行を開始させると共に、撮像素子２２１の電荷蓄積を終了する。
【００７９】
ここで、バルブモードが設定されていた場合には、レリーズ釦２１が全押しされている間、シャッタ２１３を開放状態とし、この間、撮像素子２２１によって更新時間間隔で繰り返し画像データを取得し、この画像データに基づく加算画像を液晶モニタ２６に更新しながら表示する。この露光動作の詳細は図７を用いて後述する。
【００８０】
露光動作が終了すると、絞り１０３の開放指示をレンズＣＰＵ１１１に出力し、絞り１０３を開放し（＃７７）、可動ミラー２０１を下降位置へと復帰動作を行う（＃７９）。続いて、撮像素子２２１から画像信号を読み出し、画像処理回路２５７等において画像処理を行い（＃８１）、画像処理された画像データを記録媒体２７７に記録する（＃８３）。この画像データの記録にあたって、ファイル化部２５９は加算画像の画像データを用いて画像ファイルを生成し、この画像ファイルを記録する。また、この際にサムネイルの画像データも生成し記録する。
【００８１】
画像記録を行うと、次に、バックライトの消灯を行う（＃８５）。ステップ＃７５における露光動作のサブルーチン中において、液晶モニタバックライト２６ａによる照明がなされているので、この照明を消灯する。続いて、液晶モニタ２６に表示していた画像の表示を停止する（＃８７）。画像表示を停止させると、元のルーチンに戻る。
【００８２】
次に、ステップ＃７５における露光動作について、図７を用いて説明する。このサブルーチンに入ると、まず、ステップ＃９と同様に、バルブモードが設定されているか否かを判定する（＃１０１）。判定の結果、バルブモードが設定されていなかった場合には、プログラム撮影モード等の通常の撮影モードを実行する。
【００８３】
通常の撮影モードとして、まず、露光時間計時用のタイマーをスタートさせ（＃１０３）、シャッタ２１３の開放と共に撮像素子２２１に撮像を開始させる（＃１０５）。すなわち、撮像素子２２１上に結像している被写体像の光電変換を行い、信号電荷の蓄積を開始させる。ステップ＃６７で演算された、もしくは手動設定されたシャッタ速度に対応する露光時間(設定秒時)が経過したか否かを判定する（＃１０７）。判定の結果、露光時間が経過すると、シャッタ２１３を閉じると共に撮像素子２２１における撮像を停止する（＃１０９）。
【００８４】
続いて、撮像素子２２１から画像信号の読み出しを行い（＃１１１）、この読み出された画像信号をＳＤＲＡＭ２６７に一時蓄積する（＃１１３）。この一時蓄積された画像信号に基づいて、液晶モニタ２６に撮影画像の表示を行う（＃１１５）。また、撮影画像の表示にあたって、液晶モニタバックライト２６ａを点灯させ、液晶モニタ２６の照明を行う（＃１１６）。液晶モニタバックライト２６ａの点灯を行うと、元のルーチンに戻る。
【００８５】
ステップ＃１０１における判定の結果、バルブモードが設定されていた場合には、はじめに、一時記憶部２９３内に用意された加算画像記憶領域をクリアし（＃１１８）、ステップ＃３１において手動入力された更新時間を設定する（＃１１９）。続いて、表示の更新時間計時用のタイマーをスタートさせ（＃１１９）、ステップ＃１０５と同様に、シャッタ２１３を開放すると共に撮像を開始する（＃１２１）。
【００８６】
次に、バルブ表示用ＬＥＤ４１を点灯させ、バルブ撮影が開始したことを表示する（＃１２２）。このバルブ表示用ＬＥＤ４１は、後述するステップ＃１７３において消灯するまで、すなわち、バルブ撮影の実行中は、常時、点灯したままである。
【００８７】
続いて、図８（ａ）に示すようなバルブ撮影の告知情報３１０ａの表示を開始する（＃１２３）。すなわち、バルブ露光の開始時には、画面が真っ黒であり、何も表示されないと、撮影者はバルブ撮影による露光が開始したか否か不安になる。そこで、本実施形態においては、告知情報３１０ａを表示することにより、露光動作が開始したことを撮影者が認識できるようにしている。次に、液晶モニタバックライト２６ａを点灯させ（＃１２４）、液晶モニタ２６を照明し、撮影者が加算画像等を容易に観察できるようにする。
【００８８】
バックライトを点灯させると、次に、更新時間計時用のタイマーが、ステップ＃１１９において設定された更新時間を経過した否かの判定を行う（＃１２５）。判定の結果、更新時間が経過していなかった場合には、レリーズ釦２１の全押しが解除されたか、すなわち、２Ｒスイッチがオフとなったか否かを判定する（＃１５１）。判定の結果、２Ｒスイッチがオフとなっていない場合には、液晶モニタバックライト２６ａが点灯を開始してから１０秒が経過したか否かの判定を行う（＃１５５）。本実施形態においては、液晶モニタバックライト２６ａの点灯に同期して計時動作を開始するタイマーが設けてあり、このステップでは、このタイマーの計測時間に基づいて判定する。
【００８９】
ステップ＃１５１における判定の結果、１０秒経過していない場合には、ステップ＃１２５に戻り、ステップ＃１２５、ステップ＃１５１、ステップ＃１５５を繰り返し判定する待機状態となる。一方、ステップ＃１５１における判定の結果、１０秒経過した場合には、ステップ＃１１９において設定された更新時間が３０秒以上か否かの判定を行う（＃１５７）。判定の結果、３０秒未満の場合には、ステップ＃１２５に戻り、前述の動作を実行する。
【００９０】
一方、判定の結果、設定更新時間が３０秒以上の場合には、液晶モニタバックライト２６ａによる照明を消灯する（＃１５９）。本実施形態においては、設定更新時間が３０秒以上の場合には、加算画像が更新されるたびに、１０秒間に亘って液晶モニタバックライト２６ａを点灯させ、液晶モニタ２６の照明を行っている。１０秒が経過すると、液晶モニタバックライト２６ａを消灯させている。また、設定更新時間が３０秒未満の場合には、液晶モニタバックライト２６ａは、点灯したままとなる。
【００９１】
ステップ＃１５７において、設定更新時間に応じて、バックライト消灯を行うか否かを判定しているのは、バックライトの点灯時間を１０秒とした場合、設定更新時間が１０秒を超え、３０秒未満の場合には、バックライトが短時間で点灯と消灯を繰り返し、照明がちらつき、液晶モニタ２６の画面が見難くなるからである。なお、ステップ＃１５７における設定秒時（３０秒）と、ステップ＃１５５における設定秒時（１０秒）は例示であり、電源消耗防止と表示の見易さを考慮して、適宜変更しても良い。
【００９２】
ステップ＃１２５における判定の結果、更新時間が経過すると、ステップ＃１０９およびステップ＃１１１と同様に、シャッタ２１３は開のまま撮像素子２２１の撮像を停止し、画像信号の読み出しを行う（＃１２７、＃１２９）。続いて、更新時間計時用のタイマーを再スタートさせ（＃１３０）、撮像素子２２１に撮像を開始させる（＃１３１）。
【００９３】
次に、ステップ＃１２９において読み出した加算前の画像データを保存する（＃１３２）。ここでは、ファイル化部２５９によってＲＡＷデータの画像ファイルをＳＤＲＡＭ２６７に一時記憶させる。したがって、ステップ＃１３２を実行するたびに、読み出されたＲＡＷデータを用いて画像ファイルが生成され、記憶される。画像ファイルの生成にあたっては、時計部２８７から出力された時刻情報等も使用される。
【００９４】
続いて、一時記憶部２９３で直前に記憶された記憶領域から加算画像データを読み出し、この画像データとステップ＃１２９において読み出された画像データの加算演算を行う（＃１３３）。ここで得られた加算画像の画像データを、加算画像記憶用の一時記憶部２９３の記憶領域に記憶し（＃１３５）、加算後の画像を保存する（＃１３６）。ステップ＃１３５においては、ステップ＃１３７において加算画像の表示用に一時記憶するのに対して、ステップ＃１３６においては、記録媒体２７７に記録用に、加算画像をファイル化して保存する。ファイル化は、加算画像の画像データをファイル化部２５９によって画像ファイルを生成し、この生成された画像ファイルを保存する。なお、ステップ＃１３６で生成された画像ファイルは、ステップ＃８３においても生成されることから、最終的には捨てるようにしても構わない。
【００９５】
続いて、ステップ＃１３５で加算された加算画像を液晶モニタ２６に表示し（＃１３７）、液晶モニタバックライト２６ａを点灯し、液晶モニタ２６を照明する。バックライトの点灯を行うと、ステップ＃１２５に戻り、前述の動作を実行する。ステップ＃１２５からステップ＃１３９を複数回に亘って実行することにより、図８（ｂ）〜（ｇ）のように、加算画像の輝度レベルが向上する。
【００９６】
撮影者は、液晶モニタ２６に表示される加算画像が、適正レベルまたは撮影者の意図するレベルになったときにレリーズ釦２１の全押しを解除する。すなわち、ステップ＃１５１における判定の結果、２Ｒスイッチがオフになったと判定されると、ステップ＃１２７と同様に、シャッタ２１３を閉じると共に撮像を停止し、露光動作を終了する(＃１６１)。
【００９７】
撮像を停止すると、次に、ステップ＃１２９と同様に、撮像素子２２１から画像信号の読み出しを行い（＃１６３）、ステップ＃１３３と同様に、前回の加算画像に今回読み出した画像を加算する（＃１６５）。この後、ステップ＃１３５と同様に、加算画像を一時蓄積し（＃１６７）、加算画像を液晶モニタ２６に表示する（＃１６９）。
【００９８】
本実施形態においては、レリーズ釦２１から手を離し、バルブ撮影を終了した時点で、撮像素子２２１に蓄積されている画像信号を読み出し、この画像信号を前回の加算画像に加算し、その加算画像を表示している。加算画像の表示を行うと、次に、液晶モニタバックライト２６ａを点灯し、液晶モニタ２６の照明を行い（＃１７１）、バルブ撮影が終了したことから、バルブ表示用ＬＥＤ４１を消灯する（＃１７３）。
【００９９】
次に、図１６および図１７を用いて、ステップ＃３３（図４参照）における再生動作について説明する。前述したように、ステップ＃３３における再生動作においては、単純に、ユーザがサムネイルから指定したＪＰＥＧやＲＡＷデータ形式のファイルをカメラの背面液晶モニタ（表示部）２６に静止画として再生するのみならず、様々な再生モードをユーザが選択できるようにしても良い。
【０１００】
本実施形態において示したようなバルブ撮影を例にして説明すると、長秒時露光（ここでは１５分程度を想定）で、図１７（ａ）に示すような長秒時露光画像を表示しても良いし、長秒時撮影の間に等間隔で得られた画像ファイル（＃１３２に生成した加算前画像ファイル）を順次合成しながら表示するような表示態様を選択してもよい。本実施形態においては、露光間を細かく切った特定のタイミングにおいて撮像データを別ファイルとして保存可能である。この場合には、各ファイル（加算前画像ファイル）の中から、例えば５分経過ごとに得られたファイルを合成しながら表示すれば、図１６（ａ）〜（ｃ）に示すように、露出が進み、かつ、月の公転軌跡による移動を表現するようなアニメーション的な表示ができる。また図１６（ｃ）のような静止画を各加算前画像ファイルから、再度合成しなおして表示することも可能である。
【０１０１】
このような表現の切り換えは、ユーザの好みによって選択できるようにすれば良く、図１７（ａ）の表示を行った時に、例えば、表示部にモード選択のアイコンを表示し、「天体移動アニメ再生」モードと、「天体移動表現静止画再生」モードから選択できるようにしても良い。このような画像表現では、例えば、月の色や明るさが異なると、連続感や自然さに欠けるので、等間隔で撮影し、かつ、露出量が類似の加算前画像ファイルを、その条件で検索して合成して表示するようにすれば良い。このように、画像ファイルを自由に利用して多彩な表現での表示が可能である。
【０１０２】
また、長秒時露光時には、様々な外乱やハプニングが生じることがあり、三脚に乗せて撮影しても、それにぶつかるものがあったり、近くを通る乗り物で揺れたり、あるいは、近くを走行する車や自転車のヘッドライトや、通行人の持つ傘や帽子などが横切ったりして、図１７（ｂ）のように、外乱が写りこんでしまうことがある。この画像ファイル形式で、１回の露光における中間のタイミングでの露光ファイル（加算前画像ファイル）があれば、その外乱が入った加算前画像ファイルのみを使わず、再合成すれば、図１７（ｂ）に示すような画像を図１７（ａ）に示すような画像に修正することが可能である。これは、撮影時のカメラの振動や、画像の急激な変化を各加算前画像ファイルが記憶しておき（加算後画像ファイルに外乱タイミング情報）、外乱タイミング加算前画像ファイルを使わないで、加算前画像ファイルの像データを加算して合成し、得られた結果を表示すれば良い。このような処理を行うために、各加算前画像ファイルには、一連の加算画像の一部である旨の情報を持つようにしてもよい（図１５に示した振動有無情報や外乱横切り情報）。
【０１０３】
この場合、図１７（ｂ）に示すような表示を行う際に、メニュー操作を行い、「外乱除去表示」等のモード選択を行うと、図１７（ａ）に示すような画像表示を行うようにしても良い。なお、加算前画像ファイルまでをサムネイル表示すると、同じような画像が大量に表示されるので、これらのファイルは、特別な設定や指定や操作があった時のみ再生されるようにして、サムネイル画像を持たない仕様のファイルとしても良い。あるいは、サムネイル表示不要のフラグなどを設け、再生装置には表示されないようにしてもよい。
【０１０４】
また、長秒時露光においては、撮像素子２２１の通電された状態が持続されるので、撮像素子の温度上昇や、それに伴うノイズ発生を誘因する場合がある。そこで、各加算前画像ファイルにその時の撮像素子に関する温度情報を記録して、温度に応じて、最適なノイズ軽減の画像処理を行っても良い。特に、図１６（ｃ）に示すような、各撮像タイミングの連続的な表現を行う場合、このような処理を行うことにより、温度上昇時の画像のみノイズが目立つような不自然さを目立たせることなく、連続感を出すことが可能となる。
【０１０５】
以上、説明したように、本実施形態においては、撮影の実行中に、特定のタイミング（本実施形態においては、更新時間間隔）で、撮像部２９１からの画像データが出力されるたびに（＃１２５→Ｙ）、ファイル化部２５９が画像データのファイル化を行うと共に（＃１３２）、加算演算部２９４が過去の画像データとの加算演算を行っている（＃１３３）。
【０１０６】
また、本実施形態においては、ステップ＃１１９で設定された更新時間が経過するたびに（＃１２５→Ｙ）、撮像素子２２１での撮像が停止され、画像データが出力され、この画像データと一時記憶部２９３の記憶領域に記憶されている直前の加算画像との加算演算が行われ、その結果が記憶されていく。各記憶領域に記憶された加算画像は、更新時間が経過するたびに、図８に示すように、液晶モニタ２６に更新表示され、バルブ撮影における露光状態をリアルタイムで観察することができる。
【０１０７】
また、本実施形態においては、更新時間が経過し、画像が更新されると、所定時間（本実施形態では１０秒間）の間、液晶モニタバックライト２６ａが点灯する。液晶モニタ２６の照明用の液晶モニタバックライト２６ａは、バルブ撮影中、常時、点灯したままとはならないことから、電源消耗を抑えることができる。さらに、液晶モニタバックライト２６ａの点灯は、画像の更新時であることから、撮影者が興味をもって観察することができる。
【０１０８】
さらに、本実施形態においては、設定更新時間が所定時間未満の場合には（本実施形態では３０秒）、液晶モニタバックライト２６ａの点灯を連続的に行うようにしている。このため、短い間隔で、バックライトが点灯と消灯を繰り返すことがなく、見苦しくなることがない。さらに、バルブ撮影を開始するとバルブ表示用ＬＥＤ４１を点灯させ、バルブ撮影が終了するとバルブ表示用ＬＥＤ４１を消灯させている。このため、バルブ撮影を実行中であるか否かを容易に確認することができ、大変便利である。
【０１０９】
次に、本発明の第２実施形態について、図１１を用いて説明する。第１実施形態においては、加算画像が更新されると所定時間（１０秒）の間、液晶モニタバックライト２６ａが点灯し、所定時間が経過すると、液晶モニタバックライト２６ａは消灯していた。第２実施形態においては、バックライト釦を設け、このバックライト釦が操作されると液晶モニタバックライト２６ａが点灯するようにしている。
【０１１０】
第２実施形態の構成は、図１乃至図３および図１５に示した第１実施形態の構成と同様であり、図４乃至図６に示したフローチャートも同様であり、また、図８に示したバルブモード撮影時の表示や、図９に示した撮影情報表示や、図１０に示す更新表示も同様である。相違点は、図７に示した露光動作を示すフローチャートを図１１に示すフローチャートに置き換える点にあるので、この相違点を中心に説明する。なお、図１１に示すフローチャートの各ステップの内、図７に示したフローチャートのステップと同一のステップには、同一の符号を付し、詳しい説明は省略する。
【０１１１】
露光動作のフローに入ると、まず、バルブモードか否かの判定を行い（＃１０１）、バルブモードが設定されていない場合には、図７に示した第１実施形態と同様に、プログラム撮影モード等の通常の撮影モードを実行する。一方、バルブモードが設定されていた場合には、第１実施形態と同様に、ステップ＃１１８からステップ＃１２４を実行する。この間、バルブ表示用ＬＥＤ４１と液晶モニタバックライト４１を点灯させることも、第１実施形態と同様である。
【０１１２】
バックライトの点灯を行うと、次に、更新時間が経過したか否かの判定を行う（＃１２５）。判定の結果、更新時間が経過していない場合には、第１実施形態と同様に、ステップ＃１５１において、２Ｒスイッチがオフか否かの判定を行う。判定の結果、２Ｒスイッチがオフになれば、第１実施形態と同様に、ステップ＃１６１以下のステップを実行する。
【０１１３】
一方、２Ｒスイッチがオフではなかった場合には、バックライト釦がオンか否かの判定を行う（＃１５２）。バックライト釦は、専用の釦をカメラ本体２００の背面等に設けても良いが、本実施形態においては、ＯＫ釦３１が兼用している。すなわち、このステップにおいては、ＯＫ釦３１が操作されたか否かの判定を行う。判定の結果、バックライト釦がオンであった場合には、液晶モニタバックライト２６ａを点灯させる（＃１５３）。
【０１１４】
このステップ＃１５３における液晶モニタバックライト２６ａの点灯時には、加算画像は更新されていない。バックライトの点灯後、１０秒以内に、次の画像更新時間が経過すれば、加算画像も更新される。バックライトを点灯させ、またはステップ＃１５２において、バックライト釦がオンではなかった場合には、第１実施形態と同様にステップ＃１５５以下を実行する。
【０１１５】
このように、本発明の第２実施形態においては、バックライト釦を設け、このバックライト釦が操作されると、液晶モニタバックライト２６ａが点灯するようにしている。このため、液晶モニタバックライト２６ａが点灯後、所定時間が経過して消灯した後でも、バックライト釦を操作することにより、液晶モニタ２６が照明され、加算画像を容易に確認することができる。
【０１１６】
次に、本発明の第３実施形態について、図１２を用いて説明する。第１実施形態および第２実施形態においては、加算画像は設定更新時間間隔で更新されるのみで、更新時間の間で、バルブ撮影の進行状況を確認することができなかった。第３実施形態においては、更新釦を設け、この更新釦が操作されると画像の更新を行うと共に、バックライトを点灯させるようにしている。
【０１１７】
第３実施形態の構成は、図１乃至図３に示した第１実施形態の構成と同様であり、図４乃至図６に示したフローチャートも同様であり、また、図８に示したバルブモード撮影時の表示や、図９に示した撮影情報表示や、図１０に示す更新表示も同様である。相違点は、図７に示した露光動作を示すフローチャートを図１２に示すフローチャートに置き換える点にあるので、この相違点を中心に説明する。なお、図１２に示すフローチャートの各ステップの内、図７に示したフローチャートのステップと同一のステップには、同一の符号を付し、詳しい説明は省略する。
【０１１８】
露光動作のフローチャートに入り、第１実施形態と同様にして、ステップ＃１２５において、更新時間が経過したか否かの判定を行う。判定の結果、更新時間が経過すると、第１実施形態と同様に、ステップ＃１２７以下を実行する。一方、更新時間が経過していない場合には、２Ｒスイッチがオフか否かの判定を行う（＃１５１）。判定の結果、２Ｒスイッチがオフの場合には、第１実施形態と同様にステップ＃１６１以下を実行する。一方、２Ｒスイッチがオフでなかった場合には、更新釦がオンか否かの判定を行う（＃１５４）。
【０１１９】
更新釦は、専用の釦をカメラ本体２００の背面等に設けても良いが、本実施形態においては、ＯＫ釦３１が兼用している。すなわち、このステップにおいては、ＯＫ釦３１が操作されたか否かの判定を行う。判定の結果、更新釦がオンでなかった場合には、第１実施形態と同様に、ステップ＃１５５以下を実行する。一方、更新釦がオンの場合には、ステップ＃１２７にジャンプし、更新時間経過時と同様に画像を読み出し加算画像を生成の上、ステップ＃１３７において更新した加算画像を表示し、また、液晶モニタバックライト２６ａを点灯させる（＃１３９）。
【０１２０】
このように、本発明の第３実施形態においては、更新釦を設け、この更新釦が操作されると、擬似的に更新時間が経過したときと同じ状態にすることにより、加算画像の更新を行い、また液晶モニタバックライト２６ａを点灯させている。このため、バルブ露光が進行している際に、その進行状況を画像の更新のタイミング以外の任意のタイミングで確認することができる。
【０１２１】
次に、本発明の第４実施形態について、図１３および図１４を用いて説明する。第１実施形態から第３実施形態においては、加算画像の更新時間は、バルブ撮影中には変更することができなかった。第４実施形態においては、バルブ撮影の露光動作中に、この更新時間を変更することができるようにしている。
【０１２２】
第４実施形態の構成は、図１乃至図３に示した第１実施形態の構成と同様であり、図４乃至図６に示したフローチャートも同様であり、また、図８に示したバルブモード撮影時の表示や、図９に示した撮影情報表示や、図１０に示す更新表示も同様である。相違点は、図７に示した露光動作を示すフローチャートを図１３および図１４に示すフローチャートに置き換える点にあるので、この相違点を中心に説明する。なお、図１３および図１４に示すフローチャートの各ステップの内、図７に示したフローチャートのステップと同一のステップには、同一の符号を付し、詳しい説明は省略する。
【０１２３】
露光動作のフローチャートに入り、第１実施形態と同様にして、ステップ＃１２５において、更新時間が経過したか否かの判定を行う。判定の結果、更新時間が経過すると、第１実施形態と同様に、ステップ＃１２７以下を実行する。一方、更新時間が経過していない場合には、２Ｒスイッチがオフか否かの判定を行う（＃１５１）。判定の結果、２Ｒスイッチがオフの場合には、第１実施形態と同様にステップ＃１６１以下を実行する。一方、２Ｒスイッチがオフでなかった場合には、情報設定ダイヤル２４が操作されたか否かの判定を行う（＃１８４）。
【０１２４】
ステップ＃１８４における判定の結果、情報設定ダイヤル２４が操作されていなかった場合には、第１実施形態と同様に、ステップ＃１５５以下を実行する。一方、情報設定ダイヤル２４が操作されていた場合には、図５を用いて説明した更新時間入力のサブルーチンを実行する（＃１８３）。この更新時間入力のサブルーチンにおいて、情報設定ダイヤル２４の操作状態を判定し、更新時間を変更することができる。
【０１２５】
更新時間入力が終わると、ステップ＃１３（図４）と同様に、撮影情報の表示を行う（＃１８５）。ステップ＃１８３において変更された更新時間が表示される。続いて、ステップ＃１１９と同様に、手動入力された更新時間を設定する（＃１８７）。更新時間の設定が終わると、ステップ＃１２７にジャンプし、以後、ステップ＃１２５における更新時間が経過したか否かの判定は、このステップにおいて変更された更新時間に基づいてなされる。
【０１２６】
このように、本発明の第４実施形態においては、バルブ撮影の実行中に、情報設定ダイヤル２４が操作されると、その操作状態に応じて更新時間が変更され、以後、変更された更新時間に基づいて、加算画像の更新間隔が変更される。このため、バルブ露光が進行している際に、更新時間が短すぎたり、長すぎた場合には、画像の更新時間を変更することができる。
【０１２７】
以上、説明したように、本発明の各実施形態においては、撮影の実行中に特定のタイミングで、撮像部２９１から画像データが出力されるたびに、ファイル化部２５９がファイル化を行うと共に、加算演算部２９４が過去の画像データとの加算演算を行うようにしている。このため、撮影の途中経過を示す画像ファイルが生成されることから、画像の一部が飽和してしまっても、これを除去することが可能となる。また、画像ファイルに時刻情報を用いて生成するようにしていることから、撮影時と鑑賞時に、画像の印象が変わっても簡単に修正することが可能である。仮に、撮影時に補正しすぎても、再生時に簡単に戻すことができる。特に、微妙な露光量の違いを記録しておくことにより、画像表現を変える際に利用できる。また、画像ファイルはＪＰＥＧでもよいが、ＲＡＷファイルで生成することにより、撮影終了後の加工が可能となる。
【０１２８】
なお、本発明の各実施形態においては、ライブバルブ撮影を例にして説明したが、通常撮影であっても、撮影の実行中に得られたＲＡＷデータを用いて画像ファイルを生成するようにしても勿論かまわない。また、特定のタイミングで読み出した画像データを加算演算していたが、この演算処理としては、加算演算に限らず、他の演算処理であっても良い。
【０１２９】
また、本発明の各実施形態において、表示部としての液晶モニタ２６を、液晶モニタバックライト２６ａによって照明していたが、表示照明部としては、表示部における表示が容易に確認できるように照明するものであれば、バックライトに限らない。表示部として用いる部材に応じて適宜、選択すれば良い。
【０１３０】
また、本発明の各実施形態においては、バルブモードが設定された際に、加算画像を生成するようにしていたが、長時間露出を行う場合、例えば、長秒時露出を行う場合にも、加算画像を生成し、表示するようにしてもよい。
【０１３１】
さらに、本発明の各実施形態においては、バルブモードが設定されると、レリーズ釦２１が全押しされ、この全押しが解除されるまで、すなわち、２Ｒスイッチがオンの間だけ、シャッタが開放され、撮像動作を行っていた。しかし、このやり方以外にも、例えば、レリーズ釦２１が全押し（第１のレリーズ操作）された際に撮像動作を開始し、レリーズ釦２１の全押しが解除されても撮像動作を続け、再びレリーズ釦２１が全押し（第１のレリーズ操作の後に行われる第２のレリーズ操作）された際に撮像動作を停止するようにしてもよい。
【０１３２】
さらに、本発明の各実施形態においては、更新時間はステップ＃３１において、手動で設定するようにしていたが、これに限らず、被写体の輝度に応じて、例えば、輝度が高い場合には更新時間を短く、逆に輝度が低い場合には更新時間を長くするなど、自動的に設定するようにしても勿論かまわない。
【０１３３】
さらに、本発明の各実施形態において、露光動作を終了する場合、ステップ＃１５３(図７、図９)において、撮像を停止すると、撮像素子２２１から画像信号を読み出し、加算画像を生成していた。しかし、このような加算画像を生成することなく、元のルーチンに戻るようにしても勿論かまわない。
【０１３４】
さらに、本発明の各実施形態において、バルブ撮影が開始されていることを示すために、バルブ撮影の告知表示をバルブ撮影開始時に表示していたが、バルブ撮影の実行中に表示を継続しても良く、また、その際、バルブ撮影開始後の経過時間を表示するようにしてもよい。また、バルブ撮影の告知表示として、「バルブ露光」や「ＢＵＬＢ」の文字を表示したが、これに限らず、記号や絵記号等の他の表示でも良い。
【０１３５】
さらに、本発明の各実施形態において、デジタルカメラとして一眼レフタイプに適用した例を説明したが、本発明は一眼レフタイプ以外のコンパクトタイプ、一眼カメラ（ミラーレスカメラ）等のデジタルカメラでもよく、また、携帯電話や携帯情報端末（ＰＤＡ：Personal Digital Assist）等に内蔵されるカメラでも勿論構わない。バルブモード等の長秒時撮影が可能な撮像装置であれば、本発明を適用することができる。
【０１３６】
また、特許請求の範囲、明細書、および図面中の動作フローに関して、便宜上「まず」、「次に」等の順番を表現する言葉を用いて説明したとしても、特に説明していない箇所では、この順で実施することが必須であることを意味するものではない。
【０１３７】
以上、本発明の実施形態を用いて説明したが、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１３８】
２１・・・レリーズ釦、２２・・・撮影モードダイヤル、２４・・・情報設定ダイヤル、２６・・・液晶モニタ、２６ａ・・・液晶モニタバックライト、２７・・・連写／単写釦、２８・・・ＡＥロック釦、３０・・・十字釦、３０Ｕ・・・アップ用十字釦、３０Ｄ・・・ダウン用十字釦、３０Ｒ・・・右用十字釦、３０Ｌ・・・左用十字釦、３１・・・ＯＫ釦、３３・・・ライブビュー表示釦、３４・・・拡大釦、３７・・・メニュー釦、３８・・・再生釦、４０・・・メディア装填蓋、４１・・・バルブ表示用ＬＥＤ、５０・・・ストロボ、１００・・・交換レンズ、１０１・・・撮影光学系、１０３・・・絞り、１０７・・・光学系駆動機構、１０９・・・絞り駆動機構、１１１・・・レンズＣＰＵ、２００・・・カメラ本体、２０１・・・可動ミラー、２０３・・・サブミラー、２０５・・・フォーカシングスクリーン、２０７・・・ペンタプリズム、２１１・・・測光センサ、２１３・・・フォーカルプレーンシャッタ、２１７・・・赤外カットフィルタ・ローパスフィルタ、２２１・・・撮像素子、２２３・・・撮像素子駆動回路、２２５・・・ＡＤＣ回路、２２７・・・暗電流除去回路、２３７・・・シャッタ駆動機構、２３９・・・可動ミラー駆動機構、２４１・・・測光処理回路、２４３・・・焦点検出センサ、２４５・・・焦点検出処理回路、２５０・・・ＡＳＩＣ、２５１・・・シーケンスコントローラ（ボディＣＰＵ）、２５２・・・データバス、２５７・・・画像処理回路、２５９・・・ファイル化部、２６１・・・ビデオ信号出力回路、２６３・・・液晶モニタ駆動回路、２６５・・・ＳＤＲＡＭ検知回路、２６７・・・ＳＤＲＡＭ、２７１・・・入出力回路、２７３・・・通信回路、２７５・・・記録媒体制御回路、２７７・・・記録媒体、２７９・・・フラッシュメモリ制御回路、２８１・・・フラッシュメモリ、２８３・・・スイッチ検知回路、２８５・・・各種スイッチ、２８７・・・時計部、２８９・・・測温回路、２９１・・・撮像部、２９３・・・一時記憶部、２９４・・・加算演算部、２９５・・・画像記録部、２９６・・・画像表示部、２９７・・・制御部、２９８・・・表示照明部、２９９・・・告知部、３００・・・通信接点、３０１・・・バルブモード表示、３０２・・・更新時間表示、３１０ａ・・・告知情報
【図１】
0006006002.tif 000002
【図２】
0006006002.tif 000003
【図３】
0006006002.tif 000004
【図４】
0006006002.tif 000005
【図５】
0006006002.tif 000006
【図６】
0006006002.tif 000007
【図７】
0006006002.tif 000008
【図８】
0006006002.tif 000009
【図９】
0006006002.tif 000010
【図１０】
0006006002.tif 000011
【図１１】
0006006002.tif 000012
【図１２】
0006006002.tif 000013
【図１３】
0006006002.tif 000014
【図１４】
0006006002.tif 000015
【図１５】
0006006002.tif 000016
【図１６】
0006006002.tif 000017
【図１７】
0006006002.tif 000018